(57)【特許請求の範囲】
【請求項１】
頂板部と該頂板部の周縁から降下したスカート部とを備え、スカート部内面に容器口部の外面に形成されている容器螺条と螺子係合するキャップ螺条が形成されているプラスチックキャップにおいて、
前記キャップ螺条の上部は、容器螺条の傾斜角度に合致する係合傾斜角度で延びており且つ該キャップが容器口部に巻締められた状態で容器螺条の下部傾斜面に係合する上部係合傾斜面からなる上部係合領域と、該上部係合傾斜面が形成する上部係合ラインよりも下方に位置する上部非係合面からなる上部非係合領域とを有し、
前記キャップ螺条の下部は、前記係合傾斜角度で延びており且つ該キャップの容器口部への巻締めをする際の巻締め初期段階で容器螺条の上部傾斜面に係合する下部係合傾斜面からなる下部係合領域と、該下部係合傾斜面が形成する下部係合ラインよりも上方に位置する下部非係合面からなる下部非係合領域とを有し、
前記キャップ螺条は、複数の螺子突起を螺旋状に且つ間欠的に配列することにより形成されており、該螺子突起の各々が、前記上部係合傾斜面または前記上部非係合面の何れかを有すると共に、前記上部係合領域を有する螺子突起と前記上部非係合領域を有する螺子突起とが交互に形成されていることを特徴とするプラスチックキャップ。
【請求項２】
前記キャップ螺条の下部には、前記下部係合領域と下部非係合領域とが交互に形成されている請求項１に記載のプラスチックキャップ。
【請求項３】
前記キャップ螺条を形成している複数の螺子突起は、前記上部係合領域と下部非係合領域とを有するものと、前記上部非係合領域と下部係合領域とを有するものとからなり、これらの螺子突起が交互に配置されている請求項１に記載のプラスチックキャップ。
【発明の詳細な説明】
【技術分野】
【０００１】
本発明は、容器口部の外面に形成されている螺条（容器螺条）と螺子係合する螺条（キャップ螺条）がスカート部内面に形成されているプラスチックキャップに関するものである。
【背景技術】
【０００２】
上記のような螺子係合により容器口部に装着されるプラスチックキャップ（以下、単に螺子キャップと呼ぶことがある）は、各種飲料が充填された容器などのキャップとして、種々の用途に使用されている。
【０００３】
このような螺子キャップでは、良好な密封性を確保するために、キャップスカート部に設けられているキャップ螺条と容器口部外面に設けられている容器螺条とががっちり係合するように設けることが必要である。特に、中栓などが併用されず、キャップ自体で容器の密封を確保するワンピースタイプのキャップでは、キャップ螺条と容器螺条との螺子係合力が高めることが要求される。しかしながら、キャップ螺条と容器螺条との螺子係合力を高めた場合には、キャップの開栓性が低下するため、開栓性を高めることが必要となる。このために、特許文献１には、曲げ弾性率が８００〜１６００ＭＰａの範囲にある耐環境応力亀裂性熱可塑性樹脂を用いて成形され、且つ容器口部との密封部の表面粗さ（Ｒｍａｘ）が１乃至５μｍの範囲に調整されたワンピースプラスチックキャップが開示されている。
【特許文献１】特開２００１−１１４３０９号公報
【発明の開示】
【発明が解決しようとする課題】
【０００４】
上記先行技術の螺子キャップは、キャップを構成するプラスチック（熱可塑性樹脂）の材質を選択することにより、密封性を保持しながら開栓性を向上させるというものであるが、キャップ素材であるプラスチック材料からのアプローチでは開栓性の向上に限界があり、さらなる開栓性の向上が求められている。
【０００５】
また、プラスチックキャップにおいては、キャップの開栓性を向上させるためにキャップを構成する樹脂中にワックス等の滑剤が配合されており、開栓性をさらに高めるためには、滑剤量を増加させることも考えられるが、過剰な滑剤の配合は多量の滑剤が表面にブリードアウトするおそれがあり、過度に滑り性が付与されるため、キャップを閉栓したときに、巻き締め過多を生じ易く、結局、開栓が困難となってしまう。従って、滑剤による開栓性の向上は、滑り性のコントロールが難しく、他の手段により開栓性を向上させることが求められている。
【０００６】
また、螺子キャップでは、キャップ螺条と容器螺条との係合力を高めようとすると、閉栓（キャッピング時の巻き締め）が困難となってしまうという問題もあり、一定の係合力を維持して密封性を確保すると同時に、閉栓性を確保することも必要である。
【０００７】
従って、本発明の目的は、密封性を低下させることなく、開栓性が高められた螺子係合タイプのプラスチックキャップを提供することにある。
本発明の他の目的は、優れた開栓性と同時に、キャッピング時の巻き締め性（閉栓性）も高められたプラスチックキャップを提供することにある。
【課題を解決するための手段】
【０００８】
本発明によれば、頂板部と該頂板部の周縁から降下したスカート部とを備え、スカート部内面に容器口部の外面に形成されている容器螺条と螺子係合するキャップ螺条が形成されているプラスチックキャップにおいて、
前記キャップ螺条の上部は、容器螺条の傾斜角度に合致する係合傾斜角度で延びており且つ該キャップが容器口部に巻締められた状態で容器螺条の下部傾斜面に係合する上部係合傾斜面からなる上部係合領域と、該上部係合傾斜面が形成する上部係合ラインよりも下方に位置する上部非係合面からなる上部非係合領域とを有し、
前記キャップ螺条の下部は、前記係合傾斜角度で延びており且つ該キャップの容器口部への巻締めをする際の巻締め初期段階で容器螺条の上部傾斜面に係合する下部係合傾斜面からなる下部係合領域と、該下部係合傾斜面が形成する下部係合ラインよりも上方に位置する下部非係合面からなる下部非係合領域とを有し、
前記キャップ螺条は、複数の螺子突起を螺旋状に且つ間欠的に配列することにより形成されており、該螺子突起の各々が、前記上部係合傾斜面または前記上部非係合面の何れかを有すると共に、前記上部係合領域を有する螺子突起と前記上部非係合領域を有する螺子突起とが交互に形成されていることを特徴とするプラスチックキャップが提供される。
【０００９】
本発明のプラスチックキャップは、下記の構造を有していることが好適である。
（１）前記キャップ螺条の下部には、前記下部係合領域と下部非係合領域とが交互に形成されていること。
（２）前記キャップ螺条を形成している複数の螺子突起は、前記上部係合領域と下部非係合領域とを有するものと、前記上部非係合領域と下部係合領域とを有するものとからなり、これらの螺子突起が交互に配置されていること。
【発明の効果】
【００１０】
本発明においては、キャップ螺条の上部が、係合領域（上部係合領域）と非係合領域（上部非係合領域）とからなっている。この上部係合領域は、キャップ螺条の上部面が、容器螺条の傾斜角度に合致する係合傾斜角度で延びている面（上部係合傾斜面）となっている領域であり、上部非係合領域は、キャップ螺条の上部面が、上部係合傾斜面が形成する上部係合ラインよりも下方に位置する面（上部非係合面）となっている領域である。即ち、キャップ螺条の上部は、キャップが容器口部に巻き締められて閉栓状態となっているとき及び閉栓されているキャップの開栓初期の段階において、容器口部に形成されている容器螺条の下側面と係合するものである。しかるに、本発明のプラスチックキャップでは、このキャップ螺条の上部に、容器螺条との係合に関与しない非係合領域が形成されており、キャップ螺条の上部の全体が容器螺条との係合に関与するものではないため、開栓トルクが低減されており、キャップの開栓を容易に行うことができるのである。また、キャップ螺条の上部に形成されている上部係合領域では、その上部係合傾斜面が、キャップの閉栓状態及び開栓初期の段階で容器螺条の下側面に係合しているため、密封性を確保することができるのである。
このように、本発明においては、密封性を維持しつつ、開栓性を向上させることが可能となる。
【００１１】
また、本発明においては、キャップ螺条の下部にも、上記と同様にして係合領域（下部係合領域）と非係合領域（下部非係合領域）とを形成することができ、これにより、閉栓性を高めることができ、キャッピング時の巻き締めを容易に行うことができる。
即ち、キャップ螺条の下部は、キャッピング時の巻き締め開始時からキャップシール部が嵌合する直前までの間で容器螺条の上部と係合し、キャップを閉栓状態まで案内するものであるが、この際、下部係合領域の下部係合傾斜面のみが容器螺条と係合し、下部係合傾斜面が形成する下部係合ラインよりも上方に位置する下部非係合面からなる下部非係合領域は、容器螺条との係合に関与しない。従って、閉栓トルクが低減され、キャッピング時の巻き締めを容易に行うことが可能となるのである。
【発明を実施するための最良の形態】
【００１２】
本発明を添付図面に基づいて詳細に説明する。
図１は、本発明のプラスチックキャップの側断面図であり、
図２は、図１に示すプラスチックキャップの底面図であり、
図３は、図１に示すプラスチックキャップが、容器口部に閉栓された状態を示す半断面図であり、
図４は、図１に示すプラスチックキャップの要部であるキャップ螺条の部分拡大展開図であり、
図５は、図１のプラスチックキャップにおけるキャップ螺条と容器螺条との係合関係を、閉栓開始（巻き締め開始）から閉栓状態を経て開栓初期までの過程を示す部分側断面図である。
【００１３】
図１乃至図３を参照して、本発明のプラスチックキャップは、頂板部１及び頂板部の周縁から垂下するスカート部２を備えており、スカート部２の下端には、破断可能な橋絡部３を介してタンパーエビデントバンド（ＴＥバンド）５が設けられている。
【００１４】
スカート部２の内面には、容器口部５０（図３参照）の外面に形成されている螺条（容器螺条）５１と螺子係合する螺条（キャップ螺条）７が形成されており、ＴＥバンド５の内面には、上向きのフラップ片９が適当な間隔をおいて複数形成されている。このフラップ片９は、キャップの開栓時に、容器口部５０の外面であって容器螺条５１の下方に形成されている顎部５３と係合するものであり、これにより、ＴＥバンド５の上方への移動が制限され、橋絡部３が破断し、スカート部２からＴＥバンド５が切り離され、キャップが開封されたことを示すものである。図１に示されているように、フラップ片９には、中央部分に切欠き部９ａが形成されているが、この切欠き部９ａは、キャップを容器口部５０に装着するに際し、フラップ片９が容器螺条５１及び顎部５３を乗り越えるときの抵抗を緩和し、閉栓性を高めるために設けられているものである。また、このような切欠き９ａの代わりに、フラップ片９の内面（キャップ中心側の面）に適当な溝を形成することによってもフラップ片９が容器螺条５１や顎部５３を乗り越えるときの抵抗を緩和することができる。
【００１５】
一方、頂板部１の内面には、スカート部２とは間隔をおいて下方に延びているインナーリング１０が形成されている。このインナーリング１０は、図１に示されているように、その外面（スカート部２側の面）が外方に膨らんだ形状を有している。即ち、上記のキャップ螺条７と容器螺条５１との螺子係合を利用してキャップを容器口部５０に装着したとき（即ち、閉栓）、図３に示されているように、スカート部２とインナーリング１０との間に容器口部５０の上方部分が侵入し、インナーリング１０の外面が容器口部５０の内面に密着し、これにより、密封性が確保されるというものである。
【００１６】
また、頂板部１の内面には、インナーリング１０とスカート部２との間の部分にアウターリング１１が形成されている。アウターリング１１は、キャップを閉栓したとき、容器口部５０の上端部がガタツクことなくインナーリング１０の外面に密着するようにキャップ内に容器口部５０を誘導するためのものである。
【００１７】
また、アウターリング１１の付け根部分の近傍には、環状の小突起１３が形成されている。この環状の小突起１３は、キャップが閉栓されている状態において、容器口部５０の上端のコーナー部に密着するように形成されており、容器口部５０は、インナーリング１０の外面と環状の小突起１３との間でしっかりと挟持されるのであり、環状の小突起１３により密封性が補強される。
【００１８】
さらに、図２から理解されるように、頂板部１の内面には、インナーリング１０の内面側付け根部分から、キャップ中心Ｏ側に向かって延びている放射状突起１５が複数本（図では３本）形成されている。この放射状突起１５は、キャップ閉栓状態において、容器内圧が異常に上昇した場合（例えば果汁などの容器内容物が発酵したような場合）に、インナーリング１０の内方側の付け根部を支点としての頂板部２のドーミング変形を促進させ、これにより、インナーリング１０を内方側に変形させ、密封を解除してガス抜きを生じせしめるというものである。即ち、このような放射状突起１５を設けることにより、容器内圧が異常上昇したときのキャップ飛びなどの不都合を有効に防止するというものである。
【００１９】
また、上記のような放射状突起１５が設けられている場合には、この放射状突起１５が設けられている部分の間の領域に、弧状突起１７を設けることが好適となる。キャップの頂板部１の外面には、商標などのマークが印刷される場合が多いが、弧状突起１７は、このような印刷に対する適正を確保するために設けられるものである。即ち、頂板部１の外面に印刷を施す場合には、頂板部１の外面をフラットな状態に保持するために、キャップの内側に治具が挿入され、この治具によってキャップが保持される。しかるに、上記のような放射状突起１５が設けられていると、治具の上面が放射状突起１５の下端面に当接した状態でキャップが保持されるため、放射状突起１５が形成されていない部分では、治具と頂板部１の内面との間に隙間が形成され、この結果、この部分が凹んでしまい易くなり、印刷を行った場合、印刷インキを均一に塗布することが困難となり、印刷のカスレなどを生じ易くなってしまう。しかるに、上記のような弧状突起１７を設けておくことにより、放射状突起１５が形成されていない部分では、治具が弧状突起１７に当接し、この部分でも頂板部１が治具によりしっかりと保持され、その凹み等を有効に防止し、頂板部１の外面をフラットな状態に保持し、印刷を有効に行うことが可能となる。従って、この弧状突起１７は、図２に示されているように、放射状突起１５と同じ高さを有するものであり、且つ所定の治具と面接触するように、弧状突起１７の下端はフラットな面となっている。
【００２０】
キャップ螺条７の展開図を拡大して示す図４を図１と共に参照して、本発明においては、キャップ螺条７は、その上部面が、キャップの開栓に際して容器螺条５１との螺子係合に関与する上部係合領域Ａと螺子係合に関与しない上部非係合領域Ｂとからなっている。即ち、容器口部５０の外面に形成されている容器螺条５１は、一定の傾斜角度で傾斜して螺旋状に延びており、キャップを巻締めて容器口部５０に装着するときには（閉栓するとき）、キャップ螺条７の下部の面が容器螺条５１との係合に関与し、開栓するときには、キャップ螺条７の上部面が容器螺条５１との係合に関与する。本発明においては、このようなキャップ螺条７の上部面の一部が、開栓に際して容器螺条５１との係合に関与する上部係合領域Ａを形成し、残りの部分が、開栓に際しての螺子係合に関与しない上部非係合領域Ｂを形成している。
【００２１】
具体的に説明すると、図１及び図４に示す例において、キャップ螺条７は、上部係合領域Ａを形成する螺子突起２０と、上部非係合領域Ｂを形成する螺子突起２１とが、それぞれ、螺旋状に且つ間欠的に交互に配列されており、上部係合領域Ａと上部非係合領域Ｂとが交互に形成されている。
【００２２】
特に図４に明瞭に示されているように、上部係合領域Ａを形成している螺子突起２０の上部係合傾斜面２０ａが、容器螺条５１の傾斜角度に合致する係合傾斜角度で延びている上部係合ラインαを形成しており、上部非係合領域Ｂを形成している螺子突起２１の上部非係合面２１ａが、上部係合ラインαよりも下方に位置している。従って、容器口部５０に閉栓されているキャップを開栓する場合には、上部係合領域Ａを形成している螺子突起２０の上部係合傾斜面２０ａが係合面となって容器螺条５１の下部面と接触し、係合しながら開栓が進行し、上部非係合領域Ｂを形成している螺子突起２１の上部非係合面２１ａは、係合ラインαよりも下側に位置しているため、開栓に際しては、容器螺条５１の下部面とは接触せず、螺子係合には全く関与しないのである。
【００２３】
このように、本発明においては、キャップ螺条７の上部の全体が開栓に際しての容器螺条５１との螺子係合に関与するものではなく、一部の領域（上部係合領域Ａ）のみが螺子係合に関与するため、開栓トルクが低く、キャップの開栓を容易に行うことができるのである。また、キャップの容器口部５０への巻締めが完了し、キャップが閉栓された状態においては、上部係合領域Ａを形成している螺子突起２０の上部係合傾斜面２０ａは、容器螺条５１の下部面に当接した状態に保持され（図３参照）、従って、閉栓状態でのキャップの上部への移動などが有効に防止され、密封性が低下することなく、安定した閉栓状態が保持される。
【００２４】
また、本発明においては、図４に示されているように、キャップ螺条７の下部についても、上記と同様にして下部係合領域Ｘと下部非係合領域Ｙとが形成されており、これにより、閉栓トルクが低減され、キャップの容器口部５０への巻締め（閉栓）を容易に行うことができる。
【００２５】
即ち、キャップ螺条７の下部面はキャップを巻締めて容器口部５０に閉栓する際の螺子係合に関与するものであるが、図４に示されているように、上述した上部非係合領域Ｂを形成している螺子突起２１の下部係合傾斜面２１ｂは、下部係合領域Ｘを形成するものであり、容器螺条５１の傾斜角度に合致する係合傾斜角度で延びている下部係合ラインβを形成している。一方、上部係合領域Ａを形成している螺子突起２０の下部非係合面２０ｂは、下部非係合領域Ｙを形成しているものであり、下部係合ラインβよりも上方に位置している。従って、キャップの容器口部５０への巻締めに際しては、下部係合領域Ｘを形成している螺子突起２１の下部係合傾斜面２１ｂのみが容器螺条５１との螺子係合に関与し、下部非係合領域Ｙを形成している螺子突起２０の下部非係合面２０ｂは容器螺条５１との螺子係合には関与せず、この結果、閉栓トルクが低く、キャップの容器口部５０への巻締めを容易に行うことが可能となるのである。
【００２６】
上述したキャップ螺条７の開栓及び閉栓に際しての容器螺条５１との螺子係合関係は図５に示されている。
【００２７】
即ち、キャップを容器口部５０に被せ、上部から押圧してキャップを閉栓方向に回転して容器口部５０への巻締めを開始する状態においては、（図５（ａ）参照）、下部係合領域Ｘを形成している螺子突起２１の下部係合傾斜面２１ｂが容器螺条５１の上部面に接触し、係合しながら閉栓方向に回転し、スカート部２は、容器口部５０の外面に沿って降下していくこととなる（図５（ａ）−（ii）参照）。一方、下部非係合領域Ｙを形成している螺子突起２０の下部非係合面２０ｂは、容器螺条５１の上部面には接触せずに閉栓が進行していくことなる（図５（ａ）−（i）参照）。
【００２８】
次いで、上記のようにして閉栓を続けていくと（図５（ｂ）参照）、容器口部５０の上端部分がインナーリング１０の外側に侵入し、さらにインナーリング１０とアウターリング１１との間に嵌めこまれ、また、ＴＥバンド５のフラップ片９は、容器口部５０の顎部５３に乗り上げることとなる。このため、キャップ螺条７と容器螺条５１との間の遊びがなくなり、キャップ螺条７には、上方向への抵抗力が作用することとなる。従って、この段階に至ると、螺子突起２１の下部係合傾斜面２１ｂ（下部係合領域Ｘ）は容器螺条５１の上部面とは非接触状態となり、その上部非係合面２１ａ（上部非係合領域Ｙ）も非接触状態となり（図５（ｂ）−(ii)参照）、一方、螺子突起２０の下部非係合面２０ｂ（下部非係合領域Ｙ）は、容器螺条５１の上部面と非接触のままであるが、この螺子突起２０の上部係合傾斜面２０ａ（上部係合領域Ａ）は、容器螺条５１の上部面と接触し係合することなる（図５（ｂ）−(i)参照）。
【００２９】
さらに閉栓を続けていくと（図５（ｃ）参照）、図５（ｂ）の状態のまま、キャップ螺条７が容器螺条５１に沿って降下し、最後には、ＴＥバンド７のフラップ片９が容器顎部５３を完全に乗り越え、該顎部５３の下側に位置し、これにより、キャップの巻締めが完了し、完全な閉栓状態が形成されることとなる。即ち、この状態は、図３に示す状態と同一であり、キャップ螺条７の下部面は、下部係合領域Ｘ及び下部非係合領域Ｙの何れの領域でも容器螺条５１とは接触していないが、螺子突起２０の上部係合傾斜面２０ａ（上部係合領域Ａ）が容器螺条５１の下部面に接触した状態となっており、螺子突起２１の上部非係合面２１ａ（上部非係合領域Ｂ）は容器螺条５１の下部面と非接触状態に保持される。
【００３０】
このように、キャップの閉栓（巻締め）開始段階では、下部係合領域Ｘの螺子突起２１の下部係合傾斜面２１ｂのみが容器螺条５１に接触係合して閉栓が進行し、下部非係合領域Ｙの螺子突起２０の下部非係合面２０ｂは容器螺条５１には接触せず、螺子係合とは無関係で閉栓が進行していく。従って、閉栓トルクが有効に低減され、閉栓のためのキャップの容器口部５０への巻締めを容易に行うことが可能となる。また、巻締めが完了した閉栓状態では、上部係合域Ａにおける螺子突起２０の上部係合傾斜面２０ａが容器螺条５１の下部面に接触しているため、閉栓状態でのキャップのガタツキ、特に上部への移動が有効に抑制され、安定した密封性が確保されるのである。
【００３１】
また、閉栓されたキャップを開栓方向に回転して容器口部５０からの開栓を開始していくと（図５（ｄ）参照）、上部係合領域Ａを形成している螺子突起２０の上部係合傾斜面２０ａが容器螺条５１の下部面に接触し、係合しながら開栓方向に回転し、スカート部２は、容器口部５０の外面に沿って上昇していくが（図５（ｄ）−（i）参照）、上部非係合領域Ｂを形成している螺子突起２１の上部非係合面２１ａは、容器螺条５１の下部面には接触せずに開栓が進行していくことなる（図５（ｄ）−（ii）参照）。また、当然ながら、キャップ螺条７の下部は、下部係合領域Ｘ及び下部非係合領域Ｙの何れの領域においても容器螺条５１とは非接触の状態で開栓が進行していく、従って、キャップ螺条７の下部は、開栓に際しての螺子係合には全く関与していないこととなる。
【００３２】
一方、このような開栓が行われると、ＴＥバンド５のフラップ片９が容器顎部５３の下側に当接し、ＴＥバンド５の上昇が制限され、この結果、容器口部５０の内面とキャップのインナーリング１０の外面とが密着して密封が解除されていない段階で、ＴＥバンド５がスカート部２から切り離されることなる。
【００３３】
上記のようにして開栓が続けられると、図示されていないが、最終的には、容器口部５０の内面とキャップのインナーリング１０の外面との密着が解除され（シール解除）、ＴＥバンド５が切り離された状態でキャップが容器口部５０から取り除かれ、容器内容物を容器口部５０から取り出されることとなる。尚、ＴＥバンド５がスカート部２から切り離された後、さらに開栓を続けていくと、キャップ螺条７と容器螺条５１との間に遊びがある状態に戻り、しかも開栓に際しては上方からの押圧力は加えられていないため、上部係合領域Ａを形成している螺子突起２０の上部係合傾斜面２０ａも容器螺条５１の下部面と非接触状態になる。
【００３４】
このように、本発明によれば、キャップの開栓に際して、キャップ螺条７の上面全体が容器螺条５１との螺子係合に関与するのではなく、その一部の領域（上部係合領域Ａ）のみが螺子係合に関与するものであるため、開栓トルクが低く、キャップの開栓を容易に行うことが可能となるものである。
【００３５】
尚、上述した例では、キャップ螺条７を多数の螺子突起で形成し、例えば上部係合領域Ａを螺子突起２０で形成し、上部非係合領域Ｂを他の螺子突起２１で形成しているが、このような螺子突起によらず、キャップ螺条７を連続した螺旋状の線の形態とすることも可能である。この場合には、キャップ螺条７の上面に一定間隔で凹凸面を設け、凸面により上部係合領域Ａとし、凹面を上部非係合領域Ｂとすればよい。
【００３６】
また、本発明においては、図１や図４に示されているように、上部係合領域Ａを形成している螺子突起２０の下面２０ｂにより下部非係合領域Ｙを形成し、上部非係合領域Ｂを形成している螺子突起２１の下面２１ｂにより下部係合領域Ｘを形成していることが好ましい。即ち、これとは逆に、上部係合領域Ａの螺子突起２０の下面２０ｂにより下部係合領域Ｘを形成し、上部非係合領域Ｂを形成している螺子突起２１の下面２１ｂにより下部非係合領域Ｙを形成すると、上部及び下部の非係合領域Ｂ，Ｙを形成している螺子突起２１が著しく狭い螺子幅のものとなってしまい、開栓及び閉栓の何れに際しての螺子係合にも関与せず、全く無用の存在となり、螺子突起の間隔を大きくとってキャップ螺条７を形成する場いいと同じとなり、螺子係合が不安定となるばかりか、スカート部２の周方向の強度のバランスが悪くなり、保持力が低下してしまう。さらに、螺子突起２０により上部及び下部の係合領域Ａ，Ｘが形成されることとなるため、螺子突起２０の螺子幅がかなり太いものとなってしまい、この結果、容器螺条５１との間にほとんど遊びが形成されなくなってしまい、開栓トルク及び閉栓トルクの何れもが高くなってしまい、開栓性及び閉栓性の何れもが損なわれるおそれがあるからである。
【００３７】
さらに、本発明において、キャップ螺条７を占める上部係合領域Ａの割合は、特に制限されるものではないが、一般には、キャップ螺条７の始点から終点までの長さに対して、５０乃至８０％程度を上部係合領域Ａが占めていることが適度な開栓性と適度な螺子係合性或いは密封保持性などの観点から好適であり、この範囲内で、キャップの用途に応じて求められる特性に応じて、上部係合領域Ａの割合を設定するのがよい。例えば、炭酸飲料が充填されるような容器に適用されるようなキャップでは、容器内圧によるキャップの変形やキャップ飛びなどを防止するために、ある程度、螺子係合力が要求されるため、上記範囲でも、上部係合領域Ａが占める割合を大きくすることが好ましい。また、キャップ螺条７の下部係合領域Ｘが占める割合は、上記の上部係合領域Ａが占める割合と同程度でよい。
【００３８】
また、本発明において、上部係合領域Ａを形成する螺子突起２０の上部係合傾斜面２０ａのそれぞれの長さ及び下部係合領域Ｘを形成する螺子突起２１の係合傾斜面２１ｂのそれぞれの長さは、特に制限されないが、一般的には、個々の螺子突起で容器螺条５１との間で適度な螺子係合が生じるように、４ｍｍ以上の長さとすることが好ましい。
【００３９】
さらに、図４等では、１個の螺子突起２０と１個の螺子突起２１とを交互に配置して上部係合領域Ａと上部非係合領域Ｂとが交互に形成されているが、複数の螺子突起２０を連続して配置して上部係合領域Ａを形成することも可能であるし、また複数の螺子突起２１を連続して配置して上部非係合領域Ｂを形成することも可能である。さらには、１個の螺子突起２０或いは複数の螺子突起２０に対して、複数或いは１個の螺子突起２１を配置して、上部係合領域Ａと上部非係合領域Ｂを形成することもできる。これらは、下部係合領域Ｘと下部非係合領域Ｙについても全く同様である。
【００４０】
上述した本発明によれば、キャップの密封性を損なうことなく、開栓性を高め、さらには閉栓性も高めることができる。
【図面の簡単な説明】
【００４１】
【図１】本発明のプラスチックキャップの側断面図。
【図２】図１に示すプラスチックキャップの底面図。
【図３】図１に示すプラスチックキャップが、容器口部に閉栓された状態を示す半断面図。
【図４】図１に示すプラスチックキャップの要部であるキャップ螺条の部分拡大展開図。
【図５】図１のプラスチックキャップにおけるキャップ螺条と容器螺条との係合関係を、閉栓開始（巻き締め開始）から閉栓状態を経て開栓初期までの過程を示す部分側断面図。
【符号の説明】
【００４２】
１：頂板部
２：スカート部
７：キャップ螺条
２０、２１：螺子突起
Ａ：上部係合領域
Ｂ：上部非係合領域
Ｘ：下部係合領域
Ｙ：下部非係合領域
α：上部係合ライン
β：下部係合ライン
【図１】
0005022181.tif 000002
【図２】
0005022181.tif 000003
【図３】
0005022181.tif 000004
【図４】
0005022181.tif 000005
【図５】
0005022181.tif 000006